(57)【要約】【課題】  ＡＤＦ側に固定配設された読取センサの配線空間と原稿搬送パスの小型化の両立。【解決手段】  原稿の裏面を製品奥側に配設されたヒンジで回動可能なＡＤＦ側に固定配設された読取センサで行い、信号ケーブルを原稿トレイの内部を通過するように配設することで原稿パスのヒンジ側端部を信号ケーブルが通過しないようにすることで原稿パス断面を小さくする。【選択図】  図１
2015023310.tif 000002
【特許請求の範囲】
【請求項１】
フラットベッドスキャナとオートドキュメントフィーダ（以下ＡＤＦと記載する）を備えた画像読取装置において原稿の表面をフラットベッドスキャナと兼用した読取センサ、原稿の裏面を製品奥側に配設されたヒンジで回動可能なＡＤＦ側に固定配設された読取センサで行い、積載した原稿をＣの字状にＵターンさせる原稿搬送パスを有し、かつ前記ＡＤＦ側に固定配設された信号ケーブルを原稿積載部の内部を通過するようにした後、本体側に延設するようにしたことを特徴とする画像読取装置。
【請求項２】
前記信号ケーブルをＡＤＦ前面内部を経由し、原稿排紙トレイ下面を通過させるようにしたことを特徴とする請求項１に記載の画像読取装置。
【請求項３】
ＡＤＦ前面には製品を操作する操作パネルを配設し、前記ＡＤＦ側に固定配設された読取センサの信号をＡ／Ｄ変換する回路を前記操作パネル基板に配設したことを特徴とする請求項２に記載の画像読取装置。
【請求項４】
前記信号ケーブルを原稿給紙トレイ下面を通過させるようにしたことを特徴とする請求項１に記載の画像読取装置。
【請求項５】
前記ＡＤＦ側に固定配設された読取センサの信号をＡ／Ｄ変換する回路を搭載した基板を前記原稿給紙トレイ内に配設したことを特徴とする請求項４に記載の画像読取装置。
【請求項６】
前記ＡＤＦの原稿搬送用ローラの駆動列は前記ＡＤＦのヒンジ側に全て配設されていることを特徴とする請求項１乃至請求項５の何れか一項に記載の画像読取装置。
【請求項７】
前記信号ケーブルは前記Ｃの字状の原稿搬送パスにおけるＣの字の開いている方向の外側で前記原稿積載部を通過するようにしたことを特徴とする請求項１に記載の画像読取装置。
【請求項８】
前記ＡＤＦの原稿搬送用ローラの駆動源はブラシ式のＤＣモータであることを特徴とする請求項１乃至請求項７の何れか一項に記載の画像読取装置。
【発明の詳細な説明】
【技術分野】
【０００１】
本発明は、オートドキュメントフィーダ（ＡＤＦ）を備えた画像読取装置及びこれを備えた画像読取記録装置に関するものである。
【背景技術】
【０００２】
従来、特許文献１で開示されているフラットベッドスキャナとオートドキュメントフィーダ（以下ＡＤＦと記載する）を備えた画像読取装置においては下記の構成も持つものがある。原稿の表面をフラットベッドスキャナと兼用した読取センサ、原稿の裏面を製品奥側に配設されたヒンジで回動可能なＡＤＦ側に固定配設された読取センサで行い、積載した原稿をＣの字状にＵターンさせる原稿搬送パスを有し、かつ裏面読取用センサの高速動作のため、センサのアナログ出力をＡ／Ｄ変換する基板をセンサと一体化させ、かつデジタル化した信号の信号ケーブルを原稿パスのヒンジ側から引き出して本体側に接続する。
【先行技術文献】
【特許文献】
【０００３】
【特許文献１】特開２００２−１９９１５６号公報
【発明の概要】
【発明が解決しようとする課題】
【０００４】
しかしながら、特許文献１においては信号ケーブルを原稿パス内の製品奥側から引き出す構成にしたため原稿パスの断面が小さい製品に適用しようとした場合、原稿搬送ローラの駆動列と信号ケーブルが干渉し、一定以上に小型化ができなかった。また搬送ローラ間の駆動伝達に大きなギアを使用できずタイミングベルトのように高コストの部品で搬送ローラ間の駆動伝達が必要になる場合があった。また、Ａ／Ｄコンバータ基板を読取センサと一体化した場合原稿搬送パスの断面の小型化の制約になる場合がある。
【課題を解決するための手段】
【０００５】
信号ケーブルを原稿トレイの内部を通過するように配設することで原稿パスのヒンジ側端部を信号ケーブルが通過しないようにする。また、Ａ／Ｄコンバータ基板を原稿パスの搬送ローラから外れた位置に配設することで原稿パス断面を小さくする。
【発明の効果】
【０００６】
信号ケーブルを原稿トレイの内部を通過するように配設することで原稿パスのヒンジ側端部を信号ケーブルが通過しないようにする。原稿パスのヒンジ側端部に駆動ギア列をまとめて配置することができ、最小数のギアで各搬送ローラを接続することができ、小型化、コストダウンが可能になる。また、Ａ／Ｄコンバータ基板を原稿パスの外側に配置することで、原稿パス断面自体を小型化可能である。
【図面の簡単な説明】
【０００７】
【図１】本発明を適用可能なインクジェットプリンタの読取部の断面図
【図２】本発明を適用可能なインクジェットプリンタの外観斜視図
【図３】本発明を適用可能なインクジェットプリンタの背面の外装カバーを取り外した状態の図
【図４】本発明を適用可能なインクジェットプリンタの駆動部の詳細図
【図５】本発明を適用可能なインクジェットプリンタの操作部の外装カバーを取り外した状態の図
【図６】図３の部分拡大図
【図７】本発明を適用可能なインクジェットプリンタのブロック図
【図８】本発明を適用可能なインクジェットプリンタのＡＤＦ読取部を上面から見た内部構造図
【図９】本発明を適用可能なインクジェットプリンタの背面の外装カバーを取り外した状態の図
【発明を実施するための形態】
【０００８】
以下、図面を参照して、本発明を実施するための最良の形態を例示的に詳しく説明する。
【０００９】
なお、画像読取装置は、複写機、プリンタ、ファクシミリ、及びこれらの複合機等の画像形成装置の装置本体に画像形成装置の構成要素の一部として設けられて使用されることがある。この場合、画像読取装置で読取った読取情報は、画像形成装置の画像形成部（画像形成手段）によってシートに画像として形成されるようになっている。すなわち、画像読取装置で読取った画像は、画像形成部によって、シートに複写され、通信部を通して外部装置に送信されるようになっている。
【実施例１】
【００１０】
第１実施形態に係る原稿給送装置について図面を用いて説明する。尚、本実施形態では、本発明を適用可能な原稿給送装置を備えた画像読取装置としての、自動給紙読取装置を例示して説明する。まず原稿読取搬送部１の構成および動作を説明する。
【００１１】
図１、図２、図３、図４、図５、図６において、原稿読取搬送部１は、原稿搬送路（Ｕターンパス）１２を自動給紙圧板部４０内に有する。このＵターンパス１２には原稿Ｓの有無を検出する原稿有無センサ１６、原稿Ｓの先端部及び後端部を検出する原稿エッジセンサ１７等が取り付けられた構成となっている。
【００１２】
原稿読取搬送部１では、Ｕターンパス１２の上流端側に接続するように原稿載置トレイ１４が設けられ、Ｕターンパス１２の下流端側に原稿排出トレイ１８が設けられている。また、Ｕターンパス１２の上流端側には、積載された原稿Ｓの最上位のものに当接してこれをピックアップするピックアップローラ３が設けられている。ピックアップローラ３によりピックアップされた原稿Ｓを１枚に分離するための互いに圧接した分離ローラ５及び分離パッド４が設けられている。Ｕターンパス１２の中ほどには第一搬送ローラ７が、下流端側には、原稿Ｓを原稿排出トレイ１８に排出するための第二搬送ローラ９が設けられている。自動給紙圧板部４０は後部に配設された、ばねダンパ入りヒンジ４２、４３によって回動、開閉可能に配設されている。
【００１３】
２は読取ガラス２２上に置かれた原稿を読取るためのブック原稿読取部である。密着型イメージセンサ（以下ＣＩＳと記載）３０は原稿読取搬送部１とガラス２２を介して配置される。ＣＩＳ３０は搭載されたＬＥＤから原稿Ｓの画像情報面に光を照射し、画像情報面で反射した反射光を自己集束型ロッドレンズアレイでセンサ素子に結像して画像情報を読取るものである。このＣＩＳ３０は図中左右方向に移動可能に構成され、ブック原稿読取（フラットベッドスキャン）時は、図中の左側から右側に走査しつつ読取ガラス２２上に載置された原稿を読取る。原稿読取搬送部１で読取る場合は、図３に示すシート原稿読取位置（読取白地板８の対向位置）で止まっていて、読取位置に搬送されてくる原稿Ｓの表面をＡＤＦガラス２３を介して読取る構成となっている。ＣＩＳ３１は原稿Ｓの裏面側を読み取るように構成され、ＡＤＦガラス２３と第二搬送ローラ９の中間に固定配設されている。
【００１４】
次に駆動系の説明をする。駆動モータＭはブラシ式ＤＣモータであってモータ軸上に配設されたコードホイールフィルムＭ１に印刷された検出スリットパターンをエンコーダセンサＭ２で読取ることで回転量を検出するロータリーエンコーダＭ３がモータ近傍に配設されている。エンコーダＭ３からのパルス信号に基づいてパルス幅変調（ＰＷＭ）制御で駆動モータＭの回転制御が行なわれる。駆動モータＭの駆動力はギア列Ｍ４により分離ローラ５、ピックアップローラ３、第一搬送ローラ７と第二搬送ローラ９に伝わる。このように構成することで原稿Ｓの読取に使用される全てのローラを装置背面側にあるギア列Ｍ４により回転させる構成となっており、装置前面側にギア列を有さない構成となっている。
【００１５】
操作者が操作部Ｅから、読取開始を指示すると、駆動モータＭが回転する。連動して分離ローラ５、ピックアップローラ３が回転するとともにピックアップアーム１０が下がりピックアップローラ３が原稿Ｓに押圧される。
【００１６】
ピックアップローラ３の回転によって原稿ＳがＵターンパス１２の内部へと送り込まれる。このとき、原稿読取搬送部１では、分離ローラ５及び分離パッド４によって原稿Ｓが１枚ずつに分離され、最上位の原稿Ｓが分離搬送される。また、分離された原稿ＳがＵターンパス１２に沿って搬送され、さらに第一搬送ローラ７によって当該原稿ＳがＣＩＳ３０による読取部へ搬送される。分離ローラ５は第一搬送ローラ７と第二搬送ローラ９より遅い周速で回転するようになっており、駆動モータＭを連続回転させると１枚目の原稿Ｓと２枚目の原稿Ｓの間に所定量の間隔が開くようになっている。
【００１７】
原稿読取搬送部１では、原稿エッジセンサ（ＤＥＳ）１７により原稿Ｓの先端部が検知されると、その位置から所定量搬送されたところで、原稿Ｓを搬送しながら、ＣＩＳ３０による原稿表面の画像情報の読取りが開始される。そして、原稿エッジセンサ１７により原稿Ｓの後端部が検知されると、その位置から所定量搬送されたところで、ＣＩＳ３０による画像情報の読取りを終了する。後続の原稿Ｓがある場合は駆動モータＭを継続回転させ、続けて次の原稿Ｓを読み取り、原稿有無センサ１６が次原稿なしを検知するまで原稿搬送を続けて次の原稿Ｓの画像情報を同様に読取る。原稿Ｓの両面の画像情報を読み取る際にはＣＩＳ３１を同時に動作させ、センサ位置のずれ分を補正して表裏両面の画像情報を得る。
【００１８】
次にＣＩＳ３１の配線について詳細に説明する。ＣＩＳ３１に接続された第一のフレキシブルフラットケーブル（以下ＦＦＣ）３２は駆動列Ｍ４が存在しない装置前面側から引き出され、操作部Ｅの制御基板３４に接続される。操作部制御基板３４にはＡ／Ｄコンバータを内蔵したアナログフロントエンド（以下ＡＦＥ）チップ３５が裏面に搭載されており、ＣＩＳ３１から引き出されたアナログ画像信号をデジタル信号に変換する。ＦＦＣ３３はＡＦＥチップ３５でデジタル化された画像信号を装置本体に送るケーブルである。ＦＦＣ３３は操作部制御基板３４から自動給紙圧板部４０のベース板４１と原稿排出トレイ１８の間の空間を経由して装置後方に引き出される。ＦＦＣ３３は図３に示すように装置後方で下方に屈曲し、装置本体に接続される。このように構成することで自動給紙圧板部４０の回動に対してＦＦＣ３３が自在に屈曲するような構成となっている。このように構成することで、ギア列Ｍ４部にＦＦＣ３２、ＦＦＣ３３を通す必要がない。このためギア列Ｍ４部には駆動列を構成する最少のギア配置での達成を可能にするとともにＵターンパス１２の断面サイズを小さくすることができる。本実施例では操作部制御基板３４を経由し、操作部制御基板３４上でＡ／Ｄ変換を実施したが、ＦＦＣ３２を延長してＦＦＣ３３と統合し、本実施例と同様な経路で直接本体側に接続するようにしても構わない。この構成は操作部Ｅを自動給紙圧板部４０に有さない場合に特に有効である。また、本実施例の操作部制御基板３４の位置に専用のＡＦＥチップ３５を配置した小さな基板を配設してもＵターンパス１２の断面サイズを縮小する効果を得ることができる。更に本実施例の構成では駆動モータＭ及びその配線からＣＩＳ３１、ＦＦＣ３２、ＦＦＣ３３を離して配設することができる。このようにすることで大きな電力を使用してノイズの発生源となる駆動モータＭから発生する放射ノイズの影響を軽減することができる。本構成は安価であるがブラシの摺擦によってスパークノイズが発生するブラシ式ＤＣモータを採用する装置に特に好適である。
【００１９】
次に本実施例のインクジェットプリンタの制御構成３００を図７のブロック図を用いて説明する。
【００２０】
３０１は主制御基板である。装置全体を制御する主制御ＩＣ３０２はマイクロプロセッサユニット（ＭＰＵ）３０６、読取画像処理部３０７、記録画像処理部３０８、画像符号化部３０９などからなり、システムバス３０３を介して装置全体を制御する。３０４はＭＰＵ３０６の動作のためのプログラムコード、初期値データ、テーブルデータなどを格納したＲＯＭである。３０５は計算バッファ及び画像メモリ等に使用されるＲＡＭである。３１０は読取部であり、ＣＩＳ３１１、読取画像補正部３１２、読取系駆動部３１３、ＣＩＳ３１４等により構成される。読取部３１０では読取系駆動部３１３を駆動してＣＩＳ３１１を移動させ、ＣＩＳ３１１によって画像を光学的に順次読取って電気的な画像信号に変換する。この信号を読取画像補正部３１２でシェーディング補正等を行う。更に読取画像処理部３０７で画像処理を行って高精細な画像データを出力する。原稿Ｓの両面を読み取る際はＣＩＳ３１４をＣＩＳ３１１と同時に動作させる。３１５はインクジェット方式記録部であり、記録系駆動部３１８を駆動してプリントヘッド３１６を所定の位置に移動させ、記録画像処理部３０８で作成した画像データを記録信号出力部３１７を介してプリントヘッド３１６に出力することで画像を記録する。３２０は操作パネルであり、操作パネルインターフェイス部３２３を介して表示画像を表示部３２１に出力し、操作部３２２からの操作入力を受け付ける。３２５は音声出力部であり、音声データを信号に変換してスピーカ３２６からメッセージ音声を出力する。３２７は通信接続部であり、通信網３２８、電話機３２９と接続され、音声や符号化データの入出力を行う。符号化データは画像符号化部３０９で画像に相互変換される。３３１は例えばＵＳＢ規格などの外部インターフェイス部であり、パーソナルコンピュータなどの外部機器３３２と接続される。３３３はフラッシュメモリなどからなる不揮発メモリであり、停電時等にワークデータや画像データが消去されないように記憶する。３３４は無線ＬＡＮモジュールであり、装置外のアクセスポイントを介して画像入出力を行う。３４０は電源供給部であり主制御基板と読取部３１０、記録部３１５、操作パネル３２０などの動作に必要な電力を供給する。
【００２１】
本実施形態での動作をＰＣスキャン動作、コピー動作、ファクシミリ受信動作、プリンタ動作のそれぞれについて説明する。
【００２２】
（ＰＣスキャン動作）
読取部３１０のＣＩＳ３１１及びＣＩＳ３１４で読取られた原稿の画情報はまず読取画像補正部３１２によってシェーディング補正等の処理をされる。次に読取画像処理部３０７によって画像データとしてＲＡＭ３０５に展開され、次に画像符号化部３０９によって例えばＪＰＥＧ形式に圧縮符号化される。符号化されたデータは外部インターフェイス部３３１を通り外部機器３３２に出力される。
【００２３】
（コピー動作）
読取部３１０のＣＩＳ３１１及びＣＩＳ３１４で読取られた原稿の画情報は読取画像補正部３１２によってシェーディング補正等の処理をされる。次に読取画像処理部３０７によって画像データとしてＲＡＭ３０５に展開され、次に画像符号化部３０９によって例えばＪＰＥＧ形式に圧縮符号化され、いったん蓄積される。蓄積された画像データは記録画像処理部３０８に順次送出され、記録用画像に変換される。記録用画像は記録信号出力部３１７を介してプリントヘッド３１６に出力することで記録紙に印字出力される。
【００２４】
（ファクシミリ送信動作）
読取部３１０のＣＩＳ３１１及びＣＩＳ３１４で読取られた原稿の画情報は読取画像補正部３１２によってシェーディング補正等の処理をされる。次に読取画像処理部３０７によって画像データとしてＲＡＭ３０５に展開され、次に画像符号化部３０９によって例えばＭＲ（モデファイド・リード）形式に圧縮符号化され、いったん蓄積される。蓄積された画像データは通信接続部３２７でファクシミリ通信の手順信号の送受信を行い、その後画像データの送信を開始する。送信開始後も読取を継続して画像データを蓄積しながら送信を続ける。
【００２５】
（ファクシミリ受信動作）
通信網３２８から着信があると通信接続部３２７でファクシミリ通信の手順信号の送受信を行い、その後画像データの受信を開始する。画像データは画像符号化部３０９で復調され、ＲＡＭ３０５に展開される。展開された画像データは記録画像処理部３０８に順次送出され、記録用画像に変換される。記録用画像は記録信号出力部３１７を介してプリントヘッド３１６に出力することで記録紙に印字出力される。
【００２６】
（プリンタ動作）
外部機器３３２から発信され、外部インターフェイス部３３１で受けたコマンド及び受信パラメータはＭＰＵ３０６で解釈され、画像符号化部３０９で画像データとしてＲＡＭ３０５に展開される。展開された画像データは記録画像処理部３０８に順次送出され、記録用画像に変換される。記録用画像は記録信号出力部３１７を介してプリントヘッド３１６に出力することで記録紙に印字出力される。
【００２７】
次に第２実施例として別なる構成について図８、図９を用いて説明する。
【００２８】
ＣＩＳ３１に接続されたＦＦＣ３６は原稿載置トレイ１４の内部をＬ字型に通過して装置背面側に引き出される。Ａ／Ｄコンバータを内蔵したＡＦＥチップを必要とする場合はＡＦＥ基板３７を配設して中継しても構わない。本実施例では第二搬送ローラ９をギア列Ｍ４から樹脂パイプにより構成された中継軸Ｍ５を介して回転させるようにしている。第二搬送ローラ９は軸受Ｍ６で支持されることで装置前面側に延伸されていない。このように構成することで第二搬送ローラ９の装置手前側に空間ができ、ＡＦＥ基板３７を配設しても原稿載置トレイ１４の高さを増やす必要がない。ＦＦＣ３６が装置背面側に引き出された状態でＵターンパス１２の部分を大型化することなくユニット化でき、組立が簡単な構造にすることが可能である。
【００２９】
本実施例ではＦＦＣ３６の引き出し位置は装置手前側としてＡＦＥ基板３７を配設可能な形態としたが、原稿載置トレイ１４の内部の別の位置、例えば中継軸Ｍ５の下部または上部を通過する形で配設しても構わない。
【００３０】
第２の実施例の構成であっても第１の実施例と同様にＵターンパス１２の断面サイズを小さくすることができ、また駆動モータＭから発生する放射ノイズの影響を軽減することができる。
【符号の説明】
【００３１】
１・・・原稿読取搬送部
２・・・ブック原稿読取部
３・・・ピックアップローラ
４・・・分離パッド
５・・・分離ローラ
７・・・第一搬送ローラ
９・・・第二搬送ローラ
１２・・・Ｕターンパス
１４・・・原稿載置トレイ
１６・・・原稿有無センサ
１７・・・原稿エッジセンサ
１８・・・原稿排出トレイ
２２・・・読取ガラス
２３・・・ＡＤＦガラス
３０、３１・・・ＣＩＳ
３２、３３・・・フレキシブルフラットケーブル
３４・・・操作部の制御基板
３５・・・Ａ／Ｄコンバータを内蔵したアナログフロントエンドチップ
４０・・・自動給紙圧板部
３０１・・・主制御基板
３０５・・・ＲＡＭ
３０６・・・ＭＰＵ
３１６・・・プリントヘッド
３３３・・・不揮発メモリ
Ｓ・・・原稿
Ｍ・・・駆動モータ
Ｅ・・・操作部
【図１】
2015023310.tif 000003
【図２】
2015023310.tif 000004
【図３】
2015023310.tif 000005
【図４】
2015023310.tif 000006
【図５】
2015023310.tif 000007
【図６】
2015023310.tif 000008
【図７】
2015023310.tif 000009
【図８】
2015023310.tif 000010
【図９】
2015023310.tif 000011